(57)【要約】      （修正有）【課題】面倒な操作を行うことなく、写真を撮影した当時の状況等を鮮明に思い出すことを可能にしたアルバムを提供する。【解決手段】所定のメロディーを出力可能としたアルバムであって、表紙２と、裏表紙３と、前記表紙２及び裏表紙３間に着脱自在に備えた、写真、スクラップ等を収容可能な１又は複数枚のアルバム台紙４とを具備し、前記表紙２若しくは裏表紙３及びアルバム台紙４は、所定のメロディー信号を出力可能なメロディーＩＣと、該メロディーＩＣに接続されたスピーカー６０２と、前記メロディーＩＣに接続された電源と、前記メロディーＩＣと電源間に配置したスイッチ６０６を有し、前記スイッチ６０６を操作することにより前記スピーカー６０２より所定のメロディーを出力可能にしたことを特徴とする。【選択図】図７
0003132081.tif 000002
【実用新案登録請求の範囲】
【請求項１】
所定のメロディーを出力可能としたアルバムであって、
表紙（２）と、裏表紙（３）と、前記表紙（２）及び裏表紙（３）間に着脱自在に備えた、写真、スクラップ等を収容可能な１又は複数枚のアルバム台紙（４）と、を具備し、
前記表紙（２）若しくは裏表紙（３）又はアルバム台紙（４）は、所定のメロディー信号を出力可能なメロディーＩＣ（６０１）と、該メロディーＩＣ（６０１）に接続されたスピーカー（６０２）と、前記メロディーＩＣ（６０１）に接続された電源（６０３）と、前記メロディーＩＣ（６０１）と電源（６０３）間に配置したスイッチ（６０４）とを有し、
前記スイッチ（６０４）を操作することにより前記スピーカー（６０２）より所定のメロディーを出力可能にした、ことを特徴とするアルバム。
【請求項２】
前記スイッチ（６０４）は、押圧することでオフになる押しボタン式スイッチであるとともに、該押しボタン式スイッチ（６０４）を、前記表紙（２）若しくは裏表紙（３）の内側面で押圧可能な配置で前記裏表紙（３）又は表紙（２）の内側面に突出させ、又は前記表紙（２）の裏面又は前頁の裏面で押圧可能な配置で台紙（４）の表面側に突出させ、前記表紙（２）を開くことにより又はアルバム台紙（４）をめくることによりメロディーが出力されることとしたことを特徴とする請求項１に記載のアルバム。
【請求項３】
所定のメロディーを出力可能としたアルバムであって、
表紙（２）と、裏表紙（３）と、前記表紙（２）及び裏表紙（３）間に着脱自在に備えた、写真、スクラップ等を収容可能な１又は複数枚のアルバム台紙（４）と、を具備し、
前記表紙（２）若しくは裏表紙（３）及びアルバム台紙（４）は、所定のメロディー信号を出力可能なメロディーＩＣ（６０１）と、該メロディーＩＣ（６０１）に接続されたスピーカー（６０２）と、前記メロディーＩＣ（６０１）に接続された電源（６０３）と、前記メロディーＩＣ（６０１）と電源（６０３）間に配置したスイッチ（６０６）とを有し、
前記スイッチ（６０６）を操作することにより前記スピーカー（６０２）より所定のメロディーを出力可能にした、ことを特徴とするアルバム。
【考案の詳細な説明】
【技術分野】
【０００１】
本考案はアルバムに係り、より詳しくは、所定の操作により、又は表紙を開き若しくは頁をめくることにより予め設定したメロディーを出力可能にしたアルバムに関する。
【背景技術】
【０００２】
従来から、写真、スクラップ等を保存するものとしてアルバムが用いられていり、このアルバムをめくって写真を見ることにより過去の思い出を呼び戻すことが可能である。
【０００３】
また、アルバムに子供の成長過程を撮影した写真等を貼付しておくことにより、例えば子供が成長した後にその成長過程を懐かしむことも可能である。
【０００４】
しかしながら、単に写真を見るだけでは過去の思い出が鮮明によみがえることは難しく、そのために一般的に、アルバムにおいては、写真の下や横等に簡単なメモを書き留めておくことが行われるが、単なる文字のみでは、写真を撮影した当時の状況を容易に思い出すことが困難な場合が多い。
【０００５】
この点、近年はビデオ機器が普及しているためにこのビデオ機器により成長過程等を撮影しておくことも可能だが、このようなビデオ機器は再生操作が面倒であり、特に電子機器の操作に不慣れな者にとっては取り扱いが面倒で、気軽に過去の思い出を懐かしむことはできないとともに、メモリー機器等の保管場所等も必要になり取り扱いが面倒である。
【０００６】
また、アルバムに音声等を記憶させておく方法も考えられるが、この場合も録音、再生等の操作が面倒であり、特にアルバムを見て過去を懐かしむことの多い高齢者には不向きである。
【特許文献１】特開２０００−１４１９４３号公報
【特許文献２】特開平１１−３１４４７５号公報
【特許文献３】実開平６−３９４５８号公報
【考案の開示】
【考案が解決しようとする課題】
【０００７】
そこで、本考案は、特に面倒な操作を行うことなく、写真を撮影した当時の状況等を鮮明にかつ容易に思い出すことを可能にしたアルバムを提供することを課題としている。
【課題を解決するための手段】
【０００８】
請求項１に記載の本考案のアルバムは、所定のメロディーを出力可能としたアルバムであって、
表紙と、裏表紙と、前記表紙及び裏表紙間に着脱自在に備えた、写真、スクラップ等を収容可能な１又は複数枚のアルバム台紙と、を具備し、
前記表紙若しくは裏表紙又はアルバム台紙は、所定のメロディー信号を出力可能なメロディーＩＣと、該メロディーＩＣに接続されたスピーカーと、前記メロディーＩＣに接続された電源と、前記メロディーＩＣと電源間に配置したスイッチとを有し、
前記スイッチを操作することにより前記スピーカーより所定のメロディーを出力可能にしたことを特徴としている。
【０００９】
また、請求項３に記載の本考案のアルバムは、所定のメロディーを出力可能としたアルバムであって、
表紙と、裏表紙と、前記表紙及び裏表紙間に着脱自在に備えた、写真、スクラップ等を収容可能な１又は複数枚のアルバム台紙と、を具備し、
前記表紙若しくは裏表紙及びアルバム台紙は、所定のメロディー信号を出力可能なメロディーＩＣと、該メロディーＩＣに接続されたスピーカーと、前記メロディーＩＣに接続された電源と、前記メロディーＩＣと電源間に配置したスイッチとを有し、
前記スイッチを操作することにより前記スピーカーより所定のメロディーを出力可能にしたことを特徴としている。
【考案の効果】
【００１０】
請求項１に記載の本考案のアルバムでは、表紙と、裏表紙と、表紙及び裏表紙間に着脱自在に備えたアルバム台紙を具備するアルバムにおいて、表紙若しくは裏表紙又はアルバム台紙に、所定のメロディー信号を出力可能なメロディーＩＣと、このメロディーＩＣに接続されたスピーカーと、前記メロディーＩＣに接続された電源と、メロディーＩＣと電源間に配置したスイッチとを有し、スイッチを操作することにより所定のメロディーを出力可能にしているため、写真を撮影した当時の思い出のメロディーを記憶させてあるメロディーＩＣを用いることにより、特に面倒な操作をすることなく、写真を撮影した当時の状況等を鮮明に思い出すことが可能である。
【００１１】
また請求項３に記載の本考案のアルバムでは、表紙と、裏表紙と、表紙及び裏表紙間に着脱自在に備えたアルバム台紙を具備するアルバムにおいて、表紙若しくは裏表紙及びアルバム台紙に、所定のメロディー信号を出力可能なメロディーＩＣと、このメロディーＩＣに接続されたスピーカーと、前記メロディーＩＣに接続された電源と、メロディーＩＣと電源間に配置したスイッチとを有し、スイッチを操作することにより所定のメロディーを出力可能にしているため、前記請求項１に記載のアルバムと同様に、写真を撮影した当時の思い出のメロディーを記憶させてあるメロディーＩＣを用いることにより、特に面倒な操作をすることなく、写真を撮影した当時の状況等を鮮明に思い出すことが可能である。
【考案を実施するための最良の形態】
【００１２】
請求項１に記載の本考案のアルバムでは、厚紙等により形成された表紙及び裏表紙を備えるとともに、この表紙と裏表紙間には、写真、スクラップ等を収容可能な１又は複数枚のアルバム台紙が着脱自在に備えられており、この表紙、裏表紙及びアルバム台紙は、背表紙により連結され、あるいはビス等により連結されている。
【００１３】
そして、表紙若しくは裏表紙、又はアルバム台紙には、所定のメロディー信号を出力可能なメロディーＩＣと、このメロディーＩＣに接続されるとともに、少なくとも表紙若しくは裏表紙の内側面に、又はアルバム台紙に露出させたスピーカーと、前記メロディーＩＣに電源を供給するための電源と、前記メロディーＩＣと電源間に配置したスイッチとを具備しており、前記スイッチをオンにすることで、前記スピーカーより所定のメロディーを出力可能にしている。
【００１４】
ここで、前記スイッチとして、押圧することでオフになる押しボタン式スイッチを用いるとともに、この押しボタン式スイッチを、前記表紙若しくは裏表紙の内側面で押圧可能な配置で前記裏表紙又は表紙の内側面に突出させて前記表紙を開くことによりメロディーが出力されることとし、又は、前記表紙の裏面又は前頁の裏面で押圧可能な配置でアルバム台紙の表面側に突出させて表紙を開き又はアルバム台紙をめくることによりメロディーが出力されるようにするとよく、これにより、表紙を開くことのみで、又は頁をめくることのみでメロディーを出力することが可能となり、面倒な操作が不要なため、特に高齢者にとっては容易に過去を思い出すことが可能である。
【００１５】
次に、請求項３に記載の本考案のアルバムでは、厚紙等により形成された表紙及び裏表紙を備えるとともに、この表紙と裏表紙間には、写真、スクラップ等を収容可能な１又は複数枚のアルバム台紙が着脱自在に備えられており、この表紙、裏表紙及びアルバム台紙は、背表紙により連結され、あるいはビス等により連結されている。
【００１６】
そして、表紙若しくは裏表紙、及びアルバム台紙には、所定のメロディー信号を出力可能なメロディーＩＣと、このメロディーＩＣに接続されるとともにアルバム台紙の表面側に露出させたスピーカーと、前記メロディーＩＣに電源を供給するための電源と、前記メロディーＩＣと電源間に配置したスイッチとを具備しており、前記スイッチをオンにすることで、前記スピーカーより所定のメロディーを出力可能にしている。
【実施例１】
【００１７】
本考案のアルバムの実施例について図面を参照して説明すると、図１は、本実施例のアルバムの構成を示す平面図であり、図において１が本実施例のアルバムである。
【００１８】
そして、本実施例のアルバム１では、一般的に使用されているアルバムと同様に、表紙２と裏表紙３とを備えており、この表紙２及び背表紙３の間には、１又は複数枚の、図においては３枚の、アルバム台紙４を着脱自在に備え、このアルバム台紙４に写真等を貼付可能としている。
【００１９】
なお、前記アルバム台紙４の形態は特に限定されず、写真、スクラップ等を収容可能であればいずれでもよい。従って、例えば、表面に粘着層を有する台紙における前記粘着層に剥離自在にシートを貼着し、シートをはがして台紙表面に写真等を貼着した後に、再びシートを台紙に貼着可能としてもよく、あるいは、表面あるいは表裏面に収容ポケットを有する収容頁としてもよく、更には、単なる厚紙等によりアルバム台紙を構成し、このアルバム台紙４に糊等で写真を貼付可能とした昔ながらのアルバム台紙としてもよい。また、アルバム台紙４の枚数は特に限定されず、いずれの枚数としてもよく、更に、アルバム台紙を追加可能としてもよい。
【００２０】
また、前記表紙２、裏表紙３及びアルバム台紙４との連結方法は特に限定されず、いずれの方法で連結してもよいが、本実施例では、前記表紙２、裏表紙３及びアルバム台紙４の一端側をビス５により連結した形態としている。
【００２１】
次に、図２は本実施例のアルバム１を開いた状態の正面図であり、図において６０２はスピーカーである。即ち、本実施例のアルバム１ではメロディーユニット６Ａを内蔵しており、これにより、前記スピーカー６０２より所定のメロディーを出力可能としている。
【００２２】
ここで、前記メロディーユニット６Ａについて説明すると、図３は前記メロディーユニット６Ａの構成を示すブロック図であり、図において６０１は制御手段としてのメロディーＩＣである。即ち、本実施例のアルバムでは、メロディーＩＣ６０１を用いて、このメロディーＩＣ６０１に２個の圧電スピーカー６０２、及び電源としてのボタン電池６０３を接続するとともに、メロディーＩＣ６０１とボタン電池６０３との間にスイッチ６０４を介在させて、これにより、スイッチ６０４をオンにすることでスピーカー６０２より所定のメロディーを出力可能としている。
【００２３】
そして、本実施例においては、前記裏表紙３内にメロディーＩＣ６０１と電源６０３を内蔵するとともに、前記スピーカー６０２は、前記表紙２及び裏表紙３のそれぞれに、表紙２及び裏表紙３の内側面に出力部が露出するように配設している。
【００２４】
また、前記スイッチ６０４は、押圧することでオフになる押しボタン式のスイッチ６０４を用いており、この押しボタン式スイッチ６０４を裏表紙３に内蔵するとともに、その操作部を前記表紙２の内側面で押圧可能な配置で裏表紙３の内側面に突出させて、これにより、前記表紙２を閉じているときにはメロディーは出力せず、一方、表紙２を開くことによりメロディーが出力されることとしている。
【００２５】
なお、本実施例では、前記スピーカー６０２のそれぞれは表紙２及び裏表紙３の内側面の上端近傍における外側の端部に配設し、前記スイッチ６０４は裏表紙３の内側面の上端部近傍における内側の端部に配設しているが、スピーカー６０２及びスイッチ６０４の配設箇所は特に限定されない。
【００２６】
次に、このように構成される本実施例のアルバム１の作用について説明すると、本実施例のアルバム１では、押圧することでオフになる押しボタン式のスイッチ６０４を裏表紙３に内蔵するとともに、その内蔵に際しては、その操作部を前記表紙２の内側面で押圧可能な配置で裏表紙３の内側面に突出させいるため、表紙２を開くのみでスイッチ６０４がオンになり、これにより所定のメロディーが表紙２及び裏表紙３の内側に配設したスピーカー６０２より出力される。
【００２７】
従って、本実施例のアルバムを用いることにより、特に面倒な操作をすること無く、思い出のメロディーをＢＧＭにして過去の写真を見ることができ、これにより、思い出を鮮明に蘇らすことができる。
【００２８】
なお、本実施例において前記メロディーＩＣとしては、市販のものを使用しているため、詳細な説明は省略する。また、前記スイッチ６０４は必ずしも押しボタン式にする必要はなく、市販のいずれのものを用いてもよく、更にスイッチ６０４は手動でオン、オフを切り換えるものとしてもよい。
【実施例２】
【００２９】
次に、本考案のアルバムの第２の実施例について図４乃至図６を参照して説明すると、図４は本実施例のアルバムを開いた状態を示す図であり、図において１１が本実施例のアルバムである。そして、本実施例のアルバムでは、メロディーを出力可能なメロディーユニット６Ｂをアルバム台紙４に備えてアルバム台紙４よりメロディーが出力される構成にするとともに、頁をめくることにより自動的にメロディーが出力される構成としている。
【００３０】
ここで、図５は本実施例におけるメロディーユニット６Ｂの構成を示すブロック図であり、本実施例におけるメロディーユニット６Ｂは、前述の第１実施例に用いたメロディーユニット６Ａと同様に、制御手段としてのメロディーＩＣ６０１を有しており、このメロディーＩＣ６０１に１個の圧電スピーカー６０２とボタン電池６０３を接続するとともに、メロディーＩＣ６０１とボタン電池６０３との間に２個のスイッチ６０４、２０５を介在させて、これにより、２個のスイッチ６０４、２０５の双方をオンにすることでスピーカー６０２より所定のメロディーを出力可能としている。
【００３１】
そして、本実施例のアルバム１１では、２個のスイッチとして、押圧することでオフになる第１の押しボタン式スイッチ６０４と、押圧することでオンになる第２の押しボタン式スイッチ６０５を用いて、図５に示すように、この二つの押しボタンスイッチ６０４及び６０５を前記電源６０３とメロディーＩＣ６０１間に介在するとともに、第１の押しボタン式スイッチ６０４をアルバム台紙４の表面側に露出させ、第２の押しボタン式スイッチ６０５をアルバム台紙４の裏面側に露出させ、これにより、アルバム台紙４を開くことにより自動的にメロディーが出力されるようにしている。
【００３２】
このスイッチ機構を図６によって具体的に説明すると、図６はスイッチ部分の構造を説明するための拡大断面図である。そして、本実施例において前記スイッチ機構は、隔壁７０３によって、内部を、上方に位置する第１室７０１と下方に位置する第２室７０２に分けられたケーシング７を備え、第１室７０１には第１の押しボタン式スイッチ６０４が挿装され、第２室７０２には第２の押しボタン式スイッチ６０５が挿装されている。
【００３３】
また、前記第１の押しボタン式スイッチ６０４は、前記ケーシング７０１の上壁に形成した挿入孔７０４より突出可能とし、前記第２の押しボタン式スイッチ６０５は、前記ケーシング７０１の下壁に形成した挿入孔７０５より突出可能としている。
【００３４】
更に、前記第１の押しボタン式スイッチ６０４及び第２の押しボタン式スイッチ６０５はそれぞれ、前記隔壁７０３との間に介在させたスプリング１０により前記挿入孔７０４、７０５側へ付勢され、これにより、何らの力も加えない状態では、前記第１の押しボタン式スイッチ６０４及び第２の押しボタン式スイッチ６０５はそれぞれ、その先端が挿入孔７０４、７０５を貫通してケーシング７より突出し、前記第１の押しボタン式スイッチ６０４及び第２の押しボタン式スイッチ６０５の先端を押圧することで、その先端は挿入孔７０４、７０５を介してケーシング７内に後退することとしている。
【００３５】
次に、前記第１の押しボタン式スイッチ６０４及び第２の押しボタン式スイッチ６０５はそれぞれ、押しボタンスイッチ６０４、６０５に固着された可動側通電板８を介して電源６０３に接続されており、一方、前記ケーシング７内の各室には、前記メロディーＩＣに接続された固定側通電板９が備えられている。
【００３６】
そして、第１室７０１内の固定側通電板９は、第１の押しボタン式スイッチ６０４が前記ケーシング７より突出した状態において可動側通電板８に接続し、一方、第２室７０２内の固定側通電板９は、第２の押しボタン式スイッチ６０５が前記ケーシング７側に後退した状態において可動側通電板８に接続可能な配置としている。即ち、図６に示すように、第１の押しボタン式スイッチ６０４の先端がケーシング７より突出し、第２の押しボタン式スイッチ６０５の先端がケーシング７内に後退したときに、メロディーＩＣ６０１に電源が供給されてスピーカー６０２よりメロディーが出力されることとしている。
【００３７】
従って、前述したように、本実施例では、第１の押しボタン式スイッチ６０４をアルバム台紙４の表面側に露出させ、第２の押しボタン式スイッチ６０５をアルバム台紙４の裏面側に露出させているため、見開きの右側頁にこのスイッチ機構を配置することにより、頁を開いている状態においては、第１の押しボタン式スイッチ６０４の先端がケーシング７より突出し、一方、第２の押しボタン式スイッチ６０５の先端は次頁の表面により押圧されてケーシング７内に後退するために、表紙を開き、あるいはアルバム台紙をめくることにより、１頁目のアルバム台紙から、又は次の頁のアルバム台紙からメロディーを出力することが可能となる。
【００３８】
なお、本実施例では、アルバム台紙４にメロディーユニット６を内蔵するとともに、頁をめくることにより自動的にメロディーが出力される構成とした点を特徴としており、その他の構成等は前述の実施例と同様であるために重複した説明は省略するとともに、同一部品には同一符号を付した。
【００３９】
また、前述の実施例では、見開きの右側頁にスイッチ機構を配置した場合を説明したが、図６の機構を上下逆に配置することにより、見開きの左側頁にスイッチ機構を配置してもよい。
【実施例３】
【００４０】
次に、本考案のアルバムの第３実施例について図７乃至図８を参照して説明すると、図７は本実施例のアルバムを開いた状態を示す図であり、図において２１が本実施例のアルバムである。そして、本実施例のアルバムでは、表紙２、裏表紙３、及び、表紙２と背表紙３の間に備えた１又は複数枚のアルバム台紙４を具備したアルバムにおいて、表紙２、裏表紙３、アルバム台紙４のそれぞれから所定のメロディーを出力可能にした形態としている。
【００４１】
即ち、本実施例においては、メロディーＩＣ６０１と、このメロディーＩＣ６０１に接続された圧電スピーカー６０２と、電源としてのボタン電池６０３と、メロディーＩＣ６０１とボタン電池６０３との間に介在されたスイッチ６０６とで構成されるメロディーユニット６Ｃを各アルバム台紙４に内蔵し、これにより、アルバム台紙４より所定のメロディーを出力可能としている。
【００４２】
そして、アルバム台紙１枚につきメロディーユニット６Ｃを２個内蔵して、その内蔵に際しては、一方のメロディーユニット６Ｃのスピーカー６０２及びスイッチ６０４をアルバム台紙４の表面側に露出させ、他方のメロディーユニット６のスピーカー６０２及びスイッチ６０６をアルバム台紙の裏面側に露出させ、これにより、アルバム台紙４の表面及び裏面からメロディーを出力可能にするとともに、メロディーユニットごとにメロディーの異なったメロディーＩＣを用いて、アルバム台紙４の頁ごとに異なったメロディーが出力されるように構成した。そのため、本実施例のアルバム１では、スイッチ６０６を操作することで、スピーカー６０２より所定のメロディーが出力可能であるとともに、このメロディーはアルバム台紙の頁ごとに異なったものとなる。なお、図８は本実施例においてアルバム台紙４に内蔵するメロディーユニット６Ｃの構成を示すブロック図である。
【００４３】
次に、本実施例のアルバム２１では、前述の第１実施例で用いたメロディーユニット６Ａを用いて、前記裏表紙３内にメロディーＩＣ６０１と電源６０３を内蔵するとともに、前記スピーカー６０２は、前記表紙２及び裏表紙３のそれぞれに、表紙２及び裏表紙３の内側面に出力部が露出するように配設し、更に、スイッチ６０６を裏表紙３の内側面に露出させ、スイッチ６０６を操作することでスピーカー６０２より所定のメロディーを出力可能としている。
【００４４】
このように、本実施例のアルバム２１では、表紙２及び裏表紙３からメロディーを出力可能であるとともにアルバム台紙４からもメロディーを出力可能であるために、メロディーを切り換えることにより、より鮮明に過去の思い出を蘇らすことが可能である。
【００４５】
次に、このように構成される本実施例の使用方法について説明すると、例えば子供のバレエの発表会のときの写真をアルバムに収容している場合には、裏表紙３に備えたメロディーユニット６ＡのメロディーＩＣとして、発表会のテーマ曲等をメモリーしてあるものを用い、各アルバム台紙３に備えたメロディーユニット６ＣのメロディーＩＣとしては、写真に写っている子供等が踊っている曲をメモリーしてあるものを用いる。
【００４６】
そしてまず、裏表紙３に備えたスイッチ６０６をオンにして、表紙２及び裏表紙３より発表会のテーマ曲等を出力させ、それとともに、表紙２を開いてアルバム台紙４に貼付等してある写真を見る。そうすると、発表会当日の情景を鮮明に思い出すことができる。
【００４７】
また、例えば、子供が踊っている写真を見ているときには、裏表紙３に備えたスイッチ６０６をオフにするとともに、子供が踊っている写真が貼付してあるアルバム台紙に備えたスイッチ６０６をオンにする。そうすると、子供が踊っているときに流れていた曲が出力され、これにより、そのときの情景を更に鮮明に蘇らせることが可能である。
【００４８】
このように、本実施例のアルバムでは、表紙２及び裏表紙３からメロディーを出力可能にした他に各アルバム台紙４からもメロディーを出力可能にしているために、過去の思い出を蘇らせることができるとともに、このとき、場面毎の情景等をも鮮明に蘇らせることが可能であり、例えばこれにより、自らの半生を綴った自分史を作ることも可能である。
【００４９】
また、本実施例では、スイッチ６０６を操作するのみでメロディーが出力されるように構成しているため、配線等も不要で、操作も容易であり、気軽にアルバムを楽しむことが可能である。
【００５０】
なお、本実施例では、裏表紙３とアルバム台紙４の双方にメロディーユニットを内蔵し、表紙及び裏表紙の他にアルバム台紙からもメロディーを出力可能にした点を特徴としており、その他の構成等は前述の実施例と同様であるために重複した説明は省略するとともに、同一部品には同一符号を付した。
【００５１】
また、前記スイッチ６０６の形態は特に限定されず、市販のいずれのものを用いてもよい。従って、押しボタン式、スライド式等のいずれを用いてもよい。
【産業上の利用可能性】
【００５２】
本考案のアルバムでは、面倒な操作を行うこと無く撮影当時の思い出のメロディーを出力することができ当時の思い出を鮮明に蘇らすことを可能としているために、特に記念写真等を保存するためのアルバムの全般に適用可能である。
【図面の簡単な説明】
【００５３】
【図１】本考案のアルバムの第１実施例の平面図である。
【図２】本考案のアルバムの第１実施例を開いた状態を示す図である。
【図３】本考案のアルバムの第１実施例に用いるメロディーユニットのブロック図である。
【図４】本考案のアルバムの第２実施例を開いた状態を示す図である。
【図５】本考案のアルバムの第２実施例におけるメロディーユニットのブロック図である。
【図６】本考案のアルバムの第２実施例におけるスイッチ機構を説明するための図である。
【図７】本考案のアルバムの第３実施例を開いた状態を示す図である。
【図８】本考案のアルバムの第３実施例におけるメロディーユニットのブロック図である。
【符号の説明】
【００５４】
１    アルバム
２    表紙
３    裏表紙
４    アルバム台紙
５    ビス
６Ａ、６Ｂ、６Ｃ    メロディーユニット
６０１    メロディーＩＣ
６０２    圧電スピーカー
６０３    電源
６０４、６０５、６０６    スイッチ
７    ケーシング
７０１    第１室
７０２    第２室
７０３    隔壁
７０４、７０５    挿入孔
８    可動側通電版
９    固定側通電版
１０    バネ
【図１】
0003132081.tif 000003
【図２】
0003132081.tif 000004
【図３】
0003132081.tif 000005
【図４】
0003132081.tif 000006
【図５】
0003132081.tif 000007
【図６】
0003132081.tif 000008
【図７】
0003132081.tif 000009
【図８】
0003132081.tif 000010